(57)【要約】【課題】着心地の良さとデザインの良さと皮脂汚れを吸着する機能の発揮とを全て満足させる、後衿の高いシャツを提供する。【解決手段】このシャツ１０は、前身頃１１と、後身頃１２と、右袖部１３および左袖部１４と、衿部１５とを有し、衿部１５は、前衿部１５Ａ、横衿部１５Ｂおよび後衿部１５Ｃで構成されている。衿部１５は、１つの生地で形成され、後衿部１５Ｃの高さが前衿部１５Ａおよび従来のシャツよりも高く、横衿部１５Ｂが後衿部１５Ｃへ向けて徐々に高くなり、この横衿部１５Ｂが従来のシャツよりも首の横部に広い面積で密着する。【選択図】図１
2013104148.tif 000002
【特許請求の範囲】
【請求項１】
前身頃の上端にある前衿ぐり部と、後身頃の上端にある後衿ぐり部とによって首廻り部が構成され、首廻り部の全周には、前衿ぐり部と後衿ぐり部とにそれぞれ重ね合わされて衿部が縫着されたシャツであって、
前衿ぐり部に縫着される前衿部と後衿ぐり部に縫着される後衿部とが１つの生地で構成され、
後衿部の高さが前衿部の高さよりも高いことを特徴とする、シャツ。
【請求項２】
後衿部の高さが前衿部から徐々に高くなるように形成されたことを特徴とする、請求項１に記載のシャツ。
【請求項３】
後衿部の高さが、前記シャツの上に着用するアウターの衿部の高さよりも低いことを特徴とする、請求項１または請求項２に記載のシャツ。
【発明の詳細な説明】
【技術分野】
【０００１】
本発明は、下着用のシャツであって、ワイシャツまたはブラウスの下に着用できるシャツに関し、特に、男性用、女性用を問わず、後衿の高さを高くしたシャツに関する。
【背景技術】
【０００２】
従来の下着用シャツおよびＴシャツにおいては、首廻りにテープ生地が縫着されて衿部が構成されており、この衿部の高さは極力低く抑えられている。すなわち、従来の一般的なシャツにおいては、衿部に特別な機能を持たせていなかった。ところが、特開２０１１−１２２２８１号公報（特許文献１）は、衿部に機能を持たせることのできるシャツを開示する。
【０００３】
この特許文献１に開示されたシャツは、前身頃の上端にある前衿ぐり部と、後身頃の上端にある後衿ぐり部とによって首廻り部が構成され、首廻り部の全周には、前衿ぐり部と後衿ぐり部とにそれぞれ重ね合わされて第１衿が縫着されている。そして、首廻り部の後部において、第１衿よりもその最大高さ寸法が大きい第２衿が、後衿ぐり部と前衿ぐり部の一部に設けられ、第２衿の高さ寸法が前衿ぐり部に設けられた部分において、第２衿の端に向かうに従って漸次小さくなっており、第２衿の各端は、前衿ぐり部の途中部分に位置付けられている。
【０００４】
このシャツを下着として着用したときに、シャツの衿はアウターの衣服によって隠れて、外部から見えにくくなり、美観を悪化させることはない。また、第２衿がアウターの衣服に邪魔になることはない。第２衿が着用者の首の後部に当たることで、従来、ワイシャツ等のアウターの衣服の衿に付着していた皮脂汚れを第２衿が吸着し、アウターの衣服の衿汚れを防止することができ、アウターの衣服の洗濯の負担を軽減し、アウターの衣服を長持ちさせることができる。また、首筋から流れる汗を第２衿が吸収することで、アウターの衣服の衿を濡らさないようにして、べた付きを減らすことができ、着用者が夏季にも快適に過ごすことができる。また、気温が低い季節には、第２衿が着用者の首の後部に当たるために、着用者の首を暖めることができる。このように衿部（第２衿）が、特別な機能を発揮することができる。
【先行技術文献】
【特許文献】
【０００５】
【特許文献１】特開２０１１−１２２２８１号公報
【発明の概要】
【発明が解決しようとする課題】
【０００６】
しかしながら、特許文献１に開示されたシャツは、以下の問題点がある。
このシャツの衿は、第１衿と第２衿とが別体の縫製パーツであって、縫着されて結合されている。このため、縫製パーツが通常のシャツよりも増えるので製造工数および製造コストが上昇するとともに、縫合部が多くなるので着心地が悪く洗濯耐久性も低下してしまう。
【０００７】
さらに、第２衿を前衿ぐり部に縫着するときに、第２衿は外側に引っ張りながら縫着することにより、縫着後に残留する引張力で第２衿の弛みを防ぐとともに第２衿の中央部を起立させている（特許文献１の第００４１段落）。このように特別に縫製するのは、高精度の位置決めが必要な慎重な作業を要求されるものであり、手間がかかるものである。また、第２衿の中央部は、その内側に設けられる内側テープとともに第１衿および後衿ぐり部に縫着されて結合されている（特許文献１の図５、図７Ａ、図７Ｂ）。さらに、この内側テープは、後衿ぐり部から、前身頃の上端の肩部と後身頃の上端の肩部の縫合部へと延びて縫着されている。このため、内側テープが首の後部分の肌および肩の肌に直接当たり、着心地が良いとはいえない。このように、このシャツの第２衿は、元々起立しにくい構造となっているので、特別な縫製およびテープを用いることにより、第２衿の中央部を起立させている。その結果、製造工数および製造コストが上昇するとともに、着心地が良くない。
【０００８】
さらに、第２衿が着用者の首の後部に当たることにより皮脂汚れを第２衿で吸着させるためには、第２衿をできるだけ首の前面から巻き付けるように設けることが好ましい。その一方で、このように第２衿を設けると、ワイシャツとこのシャツとの隙間から第２衿が見えてしまう場合がある（特にワイシャツの上側の前ボタンの２〜３個を開けた場合）。特許文献１に開示されたシャツは、通常のＶ首シャツの第１衿に第２衿を縫着したシャツであって、第１衿と第２衿とは別体であるので、第２衿が汗取り用の生地片のように見えてしまう。この点で、衿部のデザイン性を考慮したものではない。
【０００９】
本発明は、上述した問題点に鑑みて開発されたもので、その目的とするところは、着心地の良さとデザインの良さと皮脂汚れを吸着する機能の発揮とを全て満足させる、後衿の高いシャツを提供することにある。
【課題を解決するための手段】
【００１０】
前記目的を達成するために本発明に係るシャツは、前身頃の上端にある前衿ぐり部と、後身頃の上端にある後衿ぐり部とによって首廻り部が構成され、首廻り部の全周には、前衿ぐり部と後衿ぐり部とにそれぞれ重ね合わされて衿部が縫着されている。前衿ぐり部に縫着される前衿部と後衿ぐり部に縫着される後衿部とが１つの生地で構成され、後衿部の高さが前衿部の高さよりも高いことを特徴としている。
【００１１】
この構成によれば、１つの生地（縫製パーツ）により前衿部と後衿部とが構成されているので、縫製パーツが通常のシャツよりも増えることなく製造工数および製造コストが上昇することを抑制できるとともに、縫合部が多くならないので着心地が悪くならず、洗濯耐久性が低下することを抑制できる。そして、後衿部が着用者の首の後部に当たることで、従来、ワイシャツ等のアウターの衣服の衿に付着していた皮脂汚れを後衿部が吸着し、アウターの衣服の衿汚れを防止することができ、アウターの衣服の洗濯の負担を軽減し、アウターの衣服を長持ちさせることができる。
【００１２】
また、後衿部の高さが前衿部から徐々に高くなるように形成されたことを特徴とすることが好ましい。
アウターの衣服（たとえばワイシャツ）の上側の前ボタンの２〜３個を開けてこのシャツが見えても、前衿部から後衿部へ向けて徐々に衿の高さが高くなっているので、首の横側の衿部が目立たないで前衿部が主として見えるので、衿の一部が汗取り用の生地片のように見えることがない。
【００１３】
さらに、後衿部の高さが、前記シャツの上に着用するアウターの衿部の高さよりも低いことを特徴とすることが好ましい。
このようにすると、シャツの後衿部はアウターの衣服（たとえばワイシャツ）によって隠れて、外部から見えにくくなり、美観を悪化させることはない。また、後衿部がアウターの衣服に邪魔になることはない。
【発明の効果】
【００１４】
本発明によれば、着心地の良さとデザインの良さと皮脂汚れを吸着する機能の発揮とを全て満足させる、後衿の高いシャツを提供することができる。
【図面の簡単な説明】
【００１５】
【図１】本発明の第１の実施形態に係るシャツの正面図である。
【図２】図１における衿部の正面拡大図である。
【図３】図１における衿部の背面拡大図である。
【図４】図１における衿部の展開拡大図である。
【図５】着用状態を示す斜視図（その１）である。
【図６】着用状態を示す斜視図（その２）である。
【図７】本発明の第２の実施形態に係るシャツの正面図である。
【図８】図７における衿部の正面拡大図である。
【図９】図７における衿部の背面拡大図である。
【図１０】図７における衿部の展開拡大図である。
【図１１】本発明の第３の実施形態に係るシャツの正面図である。
【図１２】本発明の第４の実施形態に係るシャツの正面図である。
【発明を実施するための形態】
【００１６】
以下、本発明の実施形態に係るシャツについて図面を参照して説明する。本発明は、男性用、女性用を問わず、下着用シャツ等に適用される。なお、以下の説明では、異なる実施の形態であっても同一の構成要素には同一の符号を付してある。それらの名称及び機能も同じである。したがって、それらについての詳細な説明は繰り返さない。
＜第１の実施形態＞
［全体構成］
図１に本実施形態に係るシャツ１０の正面図を、図２にシャツ１０の衿部１５の正面拡大図を、図３にシャツ１０の衿部１５の背面拡大図をそれぞれ示す。このシャツ１０は、前身頃１１と、後身頃１２と、右袖部１３および左袖部１４と、衿部１５とを有している。前身頃１１と後身頃１２とは、図に表れない側部の縫着線で縫い合わされるとともに、肩部の縫着線で縫い合わされて、シャツ１０の全体を形成している。前身頃１１の上端にある前衿ぐり部と、後身頃１２の上端にある後衿ぐり部とによって首廻り部が構成されて、その部分に衿部１５が形成されている。
【００１７】
前身頃１１と、後身頃１２と、右袖部１３および左袖部１４とは、従来のシャツに使用される任意の素材から構成することができ、典型的には、天竺編みまたはフライス編み等の綿生地から構成することができる。衿部１５は、このシャツ１０の他の縫製パーツと同じ生地、または、フライス編みまたはリブ編み等の伸縮性の高い綿生地から構成することができる。
【００１８】
［特徴的な構成］
図２および図３に拡大して示したように、このシャツ１０の首廻りを構成する前身頃１１の上端にある前衿ぐり部と後身頃１２の上端にある後衿ぐり部には、その全周に亘り、２つ折りまたはそれ以上に折られた（ここでは２つ折りとする）衿部１５が、前衿ぐり部と後衿ぐり部とにそれぞれ重ね合わされて縫着されている。縫着されると、この衿部１５は、着用者の首の前側の前衿部１５Ａと、首の横側の横衿部１５Ｂと、首の後側の後衿部１５Ｃとを構成する。すなわち、１つの縫製パーツで、前衿部１５Ａ、横衿部１５Ｂおよび後衿部１５Ｃを構成している。
【００１９】
この衿部１５は、図４の展開拡大図に示すように、このシャツ１０の他の縫製パーツとは別体であって、衿部１５は、折線１５Ｅにおいて２つ折りされて、折線１５Ｅが上辺となるように（折線１５Ｅが後衿部１５Ｃの上端面となるように）、後身頃１２の後衿ぐり部と前身頃１１の前衿ぐり部に縫着され、さらに、縫着線１５Ｄでシャツ１０の前面（腹部側）で縫着されている。なお、図４に示すように衿部１５の輪郭は直線状に形成されているが、これは、縫着を容易にするために、衿部１５の輪郭を前身頃１１の前衿ぐり部の形状および後身頃１２の後衿ぐり部の形状に合致させているためである。また、前衿部１５Ａの形状は、従来のＶ首シャツと同じ形状になるように、形成されている。
【００２０】
このシャツ１０で特徴的であるのは、（１）衿部１５が１つの生地で形成されていること、（２）衿部１５の後衿部１５Ｃの高さが、前衿１５Ａおよび従来の（Ｖ首）シャツよりも高いこと、（３）衿部１５の横衿部１５Ｂが後衿部１５Ｃへ向けて徐々に高くなり、この横衿部１５Ｂが従来のＶ首シャツよりも（かつ特許文献１のシャツよりも）着用者の首の横部に広い面積で密着する点である。
【００２１】
図２および図３に従来のシャツの衿の上端面を一点鎖線で示す。これらの図から明らかなように、後衿部１５Ｃの高さは前衿１５Ａおよび従来のシャツよりも高くなっている。このシャツ１０の後衿部１５Ｃの高さは、ワイシャツの衿高さよりも低くなるようになっている。このようにすることにより、シャツ１０の後衿部１５Ｃはアウターの衣服（たとえばワイシャツ）によって隠れて、外部から見えにくくなり、美観を悪化させることはない。また、後衿部１５Ｃがアウターの衣服に邪魔になることはない。後衿部１５Ｃが着用者の首の後部に密着することにより、従来、ワイシャツ等のアウターの衣服の衿に付着していた皮脂汚れを後衿部１５Ｃが吸着し、アウターの衣服の衿汚れを防止することができ、アウターの衣服の洗濯の負担を軽減し、アウターの衣服を長持ちさせることができる。
【００２２】
なお、ワイシャツとこのシャツ１０との隙間から衿部１５が見えてしまったとしても、１つの縫製パーツで前衿部１５Ａ、横衿部１５Ｂおよび後衿部１５Ｃを構成しているために、衿の一部が汗取り用の生地片のように見えることもない。
また、横衿部１５Ｂが着用者の首の横側に密着するように形成されている。この横衿部１５Ｂは、前衿部１５Ａから後衿部１５Ｃへ向けて徐々に高くなっている。このように衿部１５を構成することにより、できるだけ首の前面から衿部１５を巻き付けることができ、着用者の首の皮脂汚れを衿部１５で吸着させることができる。この場合において、ワイシャツの上側の前ボタンの２〜３個を開けてこのシャツ１０が見えても、横衿部１５Ｂが前衿部１５Ａから後衿部１５Ｃへ向けて徐々に高くなっているので、横衿部１５Ｂが目立たないで前衿部１５Ａが主として見えるので、衿の一部が汗取り用の生地片のように見えることもない。この効果は、上述したように、１つの縫製パーツで前衿部１５Ａ、横衿部１５Ｂおよび後衿部１５Ｃを構成していることとの相乗効果として、奏されるものであると推察される。
【００２３】
［着用状態］
このシャツ１０の着用状態を説明する。図５にシャツ１０の着用状態を示す斜視図を、図６に角度を少し変えた斜視図を示す。なお、これらの斜視図は、着用者ＸがワイシャツＹを着用した場合であって、シャツ１０の右側を故意に途中まで脱いだ状態を示している。
【００２４】
後衿部１５Ｃは、ワイシャツＹの衿の高さよりも低く、ワイシャツＹを着用すると、このシャツ１０の後衿部１５Ｃが見えることはない。横衿部１５Ｂは、前衿部１５Ａから後衿部１５Ｃへ向かうに従い徐々に高くなり、ワイシャツＹの上側の前ボタンの２〜３個を開けてこのシャツ１０の横衿部１５Ｂが見えたとしても汗取り用の生地片のように見えることもない。
【００２５】
さらに、これらの横衿部１５Ｂおよび後衿部１５Ｃは、着用者の首の横部および後部に密着して初めて、着用者の首の皮脂汚れを衿部１５で吸着させることができる。このシャツ１０は、１つの縫製パーツで、前衿部１５Ａ、横衿部１５Ｂおよび後衿部１５Ｃを構成し、前衿部１５Ａにおいて前身頃１１と、長い縫着線で縫着されている。前身頃１１はそれ自体の重さにより下方へ引き下げる力が作用し、それに伴い前衿部１５Ａが下方へ引き下げられ、前衿部１５Ａと同一の縫製パーツで構成された横衿部１５Ｂおよび後衿部１５Ｃが、着用者の腹部側（前側）へ引っ張られる。これにより、横衿部１５Ｂおよび後衿部１５Ｃは、着用者の首の横部および後部に密着すると推察される。
【００２６】
これに対して、特許文献１に開示された、皮脂汚れを吸着する第２衿が第１衿と別体であって、かつ、第１衿と第２衿とは主として後身頃で縫着されており、第２衿は前身頃に直接には縫着されていない。すなわち、第２衿は、第１衿を介して前身頃に縫着されているものの、その縫着線の長さが短い。このため、前身頃はそれ自体の重さにより下方へ引き下げる力が作用するであろうが、それに伴い第２衿が下方へ引き下げられ第２衿が着用者の腹部側（前側）へ引っ張られる作用は、本実施形態に係るシャツ１０よりも極めて低いと推察される。
【００２７】
［作用効果］
このシャツ１０を下着として着用したときに、シャツ１０の後衿部１５Ｃはアウターの衣服によって隠れて、外部から見えないので、美観を悪化させることはない。また、後衿部１５Ｃがアウターの衣服に邪魔になることはない。後衿部１５Ｃが着用者の首の後部に密着することで、従来、ワイシャツ等のアウターの衣服の衿に付着していた皮脂汚れを後衿部１５Ｃが吸着し、アウターの衣服の衿汚れを防止することができ、アウターの衣服の洗濯の負担を軽減し、アウターの衣服を長持ちさせることができる。
【００２８】
また、首筋から流れる汗を横衿部１５Ｂおよび／または後衿部１５Ｃが吸収することで、アウターの衣服の衿を濡らさないようにして、べた付きを減らすことができ、着用者が夏季にも快適に過ごすことができる。また、気温が低い季節には、横衿部１５Ｂおよび／または後衿部１５Ｃが着用者の首の横部および／または後部に密着するために、着用者の首を暖めることができる。
【００２９】
さらに、このシャツ１０の衿部１５は、前衿部１５Ａ、横衿部１５Ｂおよび後衿部１５Ｃが１つの縫製パーツで構成されて、それらが縫着されて結合されている。このため、縫製パーツが通常のシャツよりも増えないので製造工数および製造コストが上昇することはないとともに、縫合部が多くならないので着心地が悪くなることもなく、洗濯耐久性も低下することもない。
【００３０】
さらに、特許文献１に開示されたような特別な縫製およびテープを用いることなく後衿部１５Ｃが首の後部に密着しているので、縫製が容易で、テープが肌に触れることもなく着心地が良く、デザイン的に優れている。
さらに、後衿部１５Ｃだけでなく横衿部１５Ｂが着用者の首の横部および後部に密着するので、できるだけ首の前面から衿部１５が着用者の首に巻き付けられていることになる。このため、皮脂汚れを後衿部１５Ｃだけでなく横衿部１５Ｂでも吸着させることができる。特に、首筋から流れる汗を横衿部１５Ｂおよび／または後衿部１５Ｃで吸収することができる。ここで、このように横衿部１５Ｂを設けた場合において、アウターであるワイシャツの上側の前ボタンの２〜３個を開けてこのシャツ１０が見えても、横衿部１５Ｂが前衿部１５Ａから後衿部１５Ｃへ向けて徐々に高くなっているので、横衿部１５Ｂが目立って見えることはなく、衿の一部が汗取り用の生地片のように見えることもない。
【００３１】
＜第２の実施形態＞
以下、本発明の第２の実施形態に係るシャツ２０について説明する。なお、構成要素の中で、上述の説明と重複する部分についてはここでは繰り返して説明しない。大略的には、第１の実施形態に係るシャツ１０がＶ首であったのに対して、本実施形態に係るシャツ２０は丸首である点が異なる。
【００３２】
図７に、図１に対応するシャツ２０の正面図を、図８に、図２に対応する衿部２５の正面拡大図を、図９に、図３に対応する衿部２５の背面拡大図を、図１０に、図４に対応する衿部２５の展開拡大図を、それぞれ示す。
これらの図に示すように、このシャツ２０は、前身頃２１と、後身頃２２と、右袖部１３および左袖部１４と、衿部２５とを有している。前身頃２１と後身頃２２とは、第１の実施形態に係るシャツ１０と同様に、図に表れない側部の縫着線で縫い合わされるとともに、肩部の縫着線で縫い合わされて、シャツ２０の全体を形成している。前身頃２１の上端にある前衿ぐり部と、後身頃２２の上端にある後衿ぐり部とによって首廻り部が構成されて、その部分に衿部２５が形成されている。シャツ２０の素材については第１の実施形態と同じである。
【００３３】
図８および図９に拡大して示したように、このシャツ２０の首廻りを構成する前身頃２１の前衿ぐり部と後身頃２２の後衿ぐり部には、その全周に亘り、２つ折りまたはそれ以上に折られた衿部２５が縫着されている（ここでは２つ折りとする）。縫着されると、この衿部２５は、着用者の首の前側の前衿部２５Ａと、首の横側の横衿部２５Ｂと、首の後側の後衿部２５Ｃとを構成する。すなわち、１つの縫製パーツで、前衿部２５Ａ、横衿部２５Ｂおよび後衿部２５Ｃを構成している。
【００３４】
この衿部１５は、図１０の展開拡大図に示すように、このシャツ２０の他の縫製パーツとは別体であって、衿部２５は、折線２５Ｅにおいて２つ折りされて、折線２５Ｅが上辺となるように（折線２５Ｅが後衿部２５Ｃの上端面となるように）、後身頃２２の後衿ぐり部と前身頃２１の前衿ぐり部に縫着され、さらに、縫着線２５Ｄでシャツ２０の後面（背中側）で縫着されている。なお、図１０に示すように衿部２５の輪郭は曲線状に形成されているが、これは、縫着を容易にするために、衿部２５の輪郭を前身頃２１の前衿ぐり部の形状および後身頃２２の後衿ぐり部の形状に合致させているためである。また、前衿部２５Ａの形状は、従来の丸首シャツと同じ形状になるように、形成されている。なお、縫着線２５Ｄは、後面ではなく側方（肩側）に形成されていても構わない。この場合、図１０に示す衿部２５とは異なる部分で縫着される。
【００３５】
このシャツ１０で特徴的であるのは、第１の実施形態に係るシャツ１０と同様に、（１）衿部２５が１つの生地で形成されていること、（２）衿部２５の後衿部２５Ｃの高さが、前衿２５Ａおよび従来の（丸首）シャツよりも高いこと、（３）衿部２５の横衿部２５Ｂが後衿部２５Ｃへ向けて徐々に高くなり、この横衿部２５Ｂが従来の丸首シャツよりも（かつ特許文献１のシャツよりも）着用者の首の横部に広い面積で密着する点である。
【００３６】
図８および図９に従来のシャツの衿の上端面を一点鎖線で示す。これらの図から明らかなように、後衿部２５Ｃの高さは、前衿２５Ａおよび従来のシャツよりも高くなっている。このシャツ２０の後衿部２５Ｃの高さは、ワイシャツの衿高さよりも低くなるようになっている。
また、着用すると、横衿部２５Ｂは上述した横衿部１５Ｂと、後衿部２５Ｃは上述した後衿部２５Ｃと同じように、着用者の首に密着する。これらの点を含めて、前衿部２５Ａと上述した前衿部１５Ａの差異を除いて、シャツ２０はシャツ１０と同じである。
【００３７】
このように構成されている本実施形態に係るシャツ２０も、第１の実施形態に係るシャツ１０と同様の作用効果を発現することができる。
＜第３の実施形態＞
以下、本発明の第３の実施形態に係るシャツ３０について説明する。なお、構成要素の中で、上述の説明と重複する部分についてはここでは繰り返して説明しない。大略的には、第１の実施形態に係るシャツ１０が袖があったのに対して、本実施形態に係るシャツ３０は袖がないノースリーブタイプである点が異なる。
【００３８】
図１１に、図１に対応するシャツ３０の正面図を示す。このシャツ３０は、袖の有無を除いて、第１の実施形態に係るシャツ１０と同じである。
このように構成されている本実施形態に係るシャツ３０も、第１の実施形態に係るシャツ１０と同様の作用効果を発現することができる。
＜第４の実施形態＞
以下、本発明の第４の実施形態に係るシャツ４０について説明する。なお、構成要素の中で、上述の説明と重複する部分についてはここでは繰り返して説明しない。大略的には、第２の実施形態に係るシャツ２０が袖があったのに対して、本実施形態に係るシャツ４０は袖がないノースリーブタイプである点が異なる。
【００３９】
図１２に、図７に対応するシャツ４０の正面図を示す。このシャツ４０は、袖の有無を除いて、第２の実施形態に係るシャツ２０と同じである。
このように構成されている本実施形態に係るシャツ４０も、第２の実施形態に係るシャツ２０と同様の作用効果を発現することができる。
本発明の実施形態は、以上からなるが、本発明は、上記実施形態にのみ制約されるものではなく、特許請求の範囲に記載した範囲内で自由に変更して実施することができる。
【００４０】
たとえば、男性用であっても女性用であっても構わないし、前衿部の形状は、Ｖ首および丸首に限定されず、Ｕ首であっても他のネック形状であっても構わない。さらに、袖部があってもなくても構わないし、袖部は長袖でも構わない。
【産業上の利用可能性】
【００４１】
本発明は、主として下着に用いられるシャツに利用することができ、また、男性用、女性用を問わず、かつ、袖の有無を問わず、適用することができる。
【符号の説明】
【００４２】
１０    シャツ（第１の実施形態）
１１    前身頃
１２    後身頃
１３    右袖部
１４    左袖部
１５    衿部
１５Ａ  前衿部
１５Ｂ  横衿部
１５Ｃ  後衿部
２０    シャツ（第２の実施形態）
２５    衿部
２５Ａ  前衿部
２５Ｂ  横衿部
２５Ｃ  後衿部
３０    シャツ（第３の実施形態）
４０    シャツ（第４の実施形態）
【図２】
2013104148.tif 000003
【図３】
2013104148.tif 000004
【図４】
2013104148.tif 000005
【図５】
2013104148.tif 000006
【図６】
2013104148.tif 000007
【図８】
2013104148.tif 000008
【図９】
2013104148.tif 000009
【図１０】
2013104148.tif 000010
【図１】
2013104148.tif 000011
【図７】
2013104148.tif 000012
【図１１】
2013104148.tif 000013
【図１２】
2013104148.tif 000014